(57)【要約】  【課題】  熱膨張による光学シートのしわの発生を確実に防止して輝度の均一を保つとともに、大型化を可能にする。  【解決手段】  光源の前方に矩形状の拡散板２を配置し該拡散板２の前面に拡散板２と略同形状をした１以上の光学シート３，４を重ねて配置したバックライト装置において、光学シート３，４の縁の複数箇所にそれぞれ係合孔３ａ，４ａを形成する。バックライト装置筐体であるバックライトシールド１の側面に、長手方向が光学シート３，４と略垂直にして弾性板と６〜１３を固着し、その先端を、係合孔３ａ，４ａに係合する。このとき、弾性板６〜１３の先端側を内側へ弾性変形させた状態で光学シート３，４を係合させることにより、光学シート３，４はその延長方向に張力を付与して支持される。【選択図】  図７
2008066046.tif 000002
【特許請求の範囲】
【請求項１】
光源の前方に矩形状の拡散板を配置し該拡散板の前面に拡散板と略同形状をした１以上の光学シートを重ねて配置したバックライト装置において、
前記光学シートの周囲の縁の複数箇所をその延長方向に張力を付与して支持したことを特徴とするバックライト装置。
【請求項２】
光源の前方に矩形状の拡散板を配置し該拡散板の前面に拡散板と略同形状をした１以上の光学シートを重ねて配置したバックライト装置において、
前記光学シートの縁の複数箇所にそれぞれ形成された係合孔と、
長手方向が前記光学シートと略垂直に保持され、前記係合孔に先端が係合されるとともに、基端部がバックライト装置筐体側面に固着された弾性板と、
を備え、前記弾性板を内側へ弾性変形させた状態でその先端に前記係合孔を係合して前記光学シートをその延長方向に張力を付与して支持したことを特徴とするバックライト装置。
【請求項３】
請求項２に記載のバックライト装置において、
前記バックライト装置の照射面が垂直に保持される場合に、前記各光学シートは上下方向の対向する縁部分にそれぞれ形成された係合孔に弾性板を係合させるとともに、前記上方の縁部分に設置された弾性板の弾性変形時の復元力を、前記下方の縁部分に設置された弾性板の弾性変形時の復元力よりも大きくしたことを特徴とするバックライト装置。
【請求項４】
光源の前方に拡散板を配置し該拡散板の前面に複数の光学シートを配設したバックライト装置において、
前記光学シートの縁の相対する複数箇所にそれぞれ形成された係合孔と、
該係合孔の相対する一方の側の外方のバックライト装置筐体側に前記光学シートと略垂直に突設されて、前記一方の側の係合孔が係合された係合突起と、
前記係合孔の相対する他方の側の外方のバックライト装置筐体側に前記光学シートと略垂直に突設されて、前記他方の側の係合孔が係合された弾性板と、
を備え、前記弾性板を内側へ弾性変形させた状態でその先端に前記係合孔を係合して前記光学シートをその延長方向に張力を付与して支持したことを特徴とするバックライト装置。
【請求項５】
請求項２乃至４のいずれかに記載のバックライト装置において、
前記係合孔とそれに係合される弾性板または／および係合突起は、前記バックライト装置の長手方向または短手方向のいずれか１方向の両端に設けられたことを特徴とするバックライト装置。
【請求項６】
請求項２乃至５のいずれかに記載のバックライト装置において、
前記弾性板および係合突起の先端外側の前記係合孔を通過した部分に逆止爪を突設したことを特徴とするバックライト装置。
【請求項７】
請求項１乃至６のいずれかに記載のバックライト装置の前方に液晶パネルを配置したことを特徴とする液晶表示装置。
【発明の詳細な説明】
【技術分野】
【０００１】
本発明は、液晶テレビ等の光源として用いられるバックライト装置およびそのバックライト装置を用いた液晶表示装置に関し、詳しくはバックライト装置を構成する光学シートにしわが発生しないように支持して均一な輝度が得られるようにしたバックライト装置およびそのバックライト装置を用いた液晶表示装置に関する。
【背景技術】
【０００２】
従来、液晶テレビ等の液晶表示装置に用いられるバックライト装置は、光源である蛍光ランプの前方にアクリル板等からなる拡散板を配置しその前面にＩＴＯシート、拡散フィルム、プリズムシート、反射偏光フィルム等の光学シートが配置されている。これら拡散板、光学シートは互いに膨張率が異なる。そのため、バックライト装置が点灯される度に、常温から温度上昇を始めるにつれて互いに異なる伸び量で膨張する。このとき拡散板に光学シートが部分的あるいは全面で密着した状態にあると、互いの伸縮量が異なるため、光学シート側にリング状のしわが発生する。しわが発生すると、その前面の液晶パネルに陰が映り、輝度が不均一になるという問題が発生した。
【０００３】
その対策として従来は、バックライト装置の照射面が垂直に支持される場合は、拡散板の上端部が当接する反射板ベースプレートの当接面に複数のピンを突設して、上端に孔を形成した拡散板、各光学シートをそのピンに係止し、拡散板、光学シートをその自重で吊り下げた状態で保持していた。この状態では、光学シートに厚み方向に外力が加わらずに、光学シートは拡散板に対して密着することなく微小な隙間を介して自由に伸縮できるように保持されている。このように構成されたことで、比較的小型のサイズのバックライト装置の場合は目立つ大きさのしわを発生することなく保持できる。
【０００４】
しかし、バックライト装置のサイズが大きくなると、光学シートを拡散板に対して密着することなく保持することが困難となり、一部または全面で光学シートが拡散板に対して密着して、しわの発生を招くことになり、そのしわが目立つ大きさになると、前面の液晶パネルに陰が映り輝度むらとなることがあった。その対策として、特許文献１に記載されるように、光学シートの端部の適箇所を押さえるようにしたものがある。
【特許文献１】特開平１１−２８１９６６号公報
【発明の開示】
【発明が解決しようとする課題】
【０００５】
このように、従来は光学シートに発生するしわを防ぐため、光学シートの縁の適箇所を押さえることが試みられており、中型サイズまでのバックライト装置では、それなりに効果が得られるが、バックライト装置がさらに大型になると、光学シートの伸びも比例して大きくなり、単に光学シートの縁の適箇所を押さえただけではしわの発生を完全に防ぐことができなかった。そこで本発明は、熱膨張による光学シートの伸び量が大きい大型サイズのバックライト装置であっても、光学シートのしわの発生を確実に防止することができて、輝度の均一を保てることのできるバックライト装置および液晶表示装置を提案することを目的とした。
【課題を解決するための手段】
【０００６】
上記課題を解決するために、本発明のバックライト装置は、光源の前方に矩形状の拡散板を配置し該拡散板の前面に拡散板と略同形状をした１以上の光学シートを重ねて配置したバックライト装置において、前記光学シートの周囲の縁の複数箇所をその延長方向に張力を付与して支持したことを特徴とする。
【０００７】
また、本発明のバックライト装置は、光源の前方に矩形状の拡散板を配置し該拡散板の前面に拡散板と略同形状をした１以上の光学シートを重ねて配置したバックライト装置において、前記光学シートの縁の複数箇所にそれぞれ形成された係合孔と、長手方向が前記光学シートと略垂直に保持され、前記係合孔に先端が係合されるとともに、基端部がバックライト装置筐体側面に固着された弾性板とを備え、前記弾性板を内側へ弾性変形させた状態でその先端に前記係合孔を係合して前記光学シートをその延長方向に張力を付与して支持したことを特徴とする。
【０００８】
ここで、前記バックライト装置の照射面が垂直に保持される場合に、前記各光学シートは上下方向の対向する縁部分にそれぞれ形成された係合孔に弾性板を係合させるとともに、前記上方の縁部分に設置された弾性板の弾性変形時の復元力を、前記下方の縁部分に設置された弾性板の弾性変形時の復元力よりも大きくしたことを特徴とする。
【０００９】
また、本発明のバックライト装置は、光源の前方に拡散板を配置し該拡散板の前面に複数の光学シートを配設したバックライト装置において、前記光学シートの縁の相対する複数箇所にそれぞれ形成された係合孔と、該係合孔の相対する一方の側の外方のバックライト装置筐体側に前記光学シートと略垂直に突設されて、前記一方の側の係合孔が係合された係合突起と、前記係合孔の相対する他方の側の外方のバックライト装置筐体側に前記光学シートと略垂直に突設されて、前記他方の側の係合孔が係合された弾性板とを備え、前記弾性板を内側へ弾性変形させた状態でその先端に前記係合孔を係合して前記光学シートをその延長方向に張力を付与して支持したことを特徴とする。
【００１０】
ここで、前記係合孔とそれに係合される弾性板または／および係合突起は、前記バックライト装置の長手方向または短手方向のいずれか１方向の両端に設けることも可能である。また、前記弾性板および係合突起の先端外側の前記係合孔を通過した部分に逆止爪を突設することが好ましい。また、本発明の液晶表示装置は、前記バックライト装置の前方に液晶パネルを配置したことを特徴とする。
【発明の効果】
【００１１】
以上述べたように本発明によれば、光学シートの外周の縁をその延長方向に引っ張って張力を有する状態で支持したことで、光学シートが熱膨張と熱収縮を繰り返しても、その伸び縮みが吸収されて、拡散板に密着することがなくなり、加熱膨張時に光学シートと拡散板が密着してのしわによる陰の発生が解消されて、輝度の安定したバックライト装置および液晶表示装置が得られる。さらに、バックライト装置および液晶表示装置の大型化も可能となる。
【発明を実施するための最良の形態】
【００１２】
以下、図に基づいて本発明を液晶テレビのバックライト装置に適用した場合について説明する。図１〜図３は液晶テレビの外観図である。図において、１００は画像表示を行う液晶パネル、１０１は前キャビネット、１０２は後キャビネット、１０３は液晶テレビ本体の操作ボタン類、１０４はスピーカー、１０５はスタンドを表す。
【００１３】
次に、図４、５に基づいて液晶テレビの内部構成を説明する。液晶パネル１００は保持金具に保持され液晶パネルユニット１１０を構成し、その背面には反射／偏光シートやプリズムシートや拡散シートや拡散板などで構成する光学シート１１１が配置されている。バックライトシャーシ１１７の液晶パネル１００側には反射シート１１６が図示しないランプクリップで固定され、反射シート１１６の前面には、ランプホルダ上１１３とランプホルダ下１１４にて両端を固定された複数本のランプ１１５が配置されている。
【００１４】
この部分の組み立て手順としては、バックライトシャーシ１１７の液晶パネル１００側にランプクリップにて反射シート１１６を固定した後にランプホルダ下１１４を、反射シート１１６を挟んでバックライトシャーシ１１７に固定する。次にランプ１１５をランプホルダ下１１４に所定間隔で設けられたランプ固定溝に左右の位置を合わせて配置した後、ランプホルダ上１１３を位置合わせの後にランプ１１５両端部を被せ、ランプホルダ上１１３とランプホルダ下１１４を固定することで、光源部分が完成する。
【００１５】
次に、光学シート１１１が保持された後に、事前に前キャビネット１０１に固定されている液晶パネルユニット１１０とバックライトシャーシ１１７とをビス固定することで、液晶テレビの表示光学系が前キャビネット１０１付きで完成する。バックライトシャーシ１１７の背面(液晶パネル１００とは反対の面) には液晶パネル１００の駆動回路ユニットや、ランプ１１５駆動回路ユニットや、映像や音声信号の受信回路ユニットや信号処理回路ユニットなどの液晶テレビの駆動や各種制御のためのユニットが搭載され、これら一連の手順で構成された液晶テレビユニットを後キャビネット１０２で被い前キャビネット１０１とビス止め固定することで、液晶テレビ本体が完成する。
【００１６】
図６は図１の液晶テレビからバックライト装置を取り出して上向きにして液晶パネル１００を除去して水平に置いた状態の分解斜視図であり、図７は図６のバックライト装置に液晶パネルを装着した状態のＡ−Ａ線断面図であり、図８は図６のＢ−Ｂ線断面図である。これらの図に示されるように、バックライト装置は、箱状をした板金製のバックライトシールド１の底部に光源となる蛍光管５が配置され、バックライトシールド１の開放側の端部は外側へ一段突出して光学部材保持部１ａが設けられ、矩形状をした拡散板２、光学シート３，４が保持されている。なお、ここで用いられる光学シートは、ＩＴＯシート、拡散フィルム、プリズムシート、反射偏光フィルム等である。また、光学シート４の前方には、液晶パネル１００が配置されて、その外周をベゼル１４が保持することで液晶テレビが構成される。
【００１７】
バックライトシールド１の外周の側面には、金属板または樹脂板からなる弾性板６〜１３等が液晶パネル１００の面に対して垂直に保持されてその下端部がビス１５によりバックライトシールド１に締結されている。弾性板６〜１３等の上部は、バックライトシールド１の光学部材保持部１ａよりも上方へ突出している。弾性板６〜１３等の上端近くの外面には、逆止爪６ａ，７ａ等が起設されている。
【００１８】
光学部材保持部１ａには、光学シート３，４が、それぞれ弾性板６，８，１１，１３等、弾性板７，９，１０，１２等により、外方向へ張力を付与して支持されている。すなわち、光学シート３の外周縁部には、それぞれ角孔３ａが形成されるとともに、四角形の切欠き３ｂが形成されている。この角孔３ａに、弾性板６，８，１１，１３等が内側に湾曲された状態で挿入され、逆止爪６ａ等を通過したところで保持されている。同様に、光学シート４の外周縁部には、それぞれ角孔４ａが形成されるとともに、四角形の切欠き４ｂが形成されている。この角孔４ａに、弾性板７，９，１０，１２等が内側に湾曲された状態で挿入され、逆止爪７ａ等を通過したところで保持されている。
【００１９】
このとき、光学シート３の切欠き３ｂは、光学シート４が係止される弾性板７，９，１０，１２等と光学シート３が干渉しないようにするものである。同様に、光学シート４の切欠き４ｂは、光学シート３が係止される弾性板６，８，１１，１３等と光学シート４が干渉しないようにするものである。このようにして、光学シート３，４が保持されたその前方に、ベゼル１４に支持された液晶パネル１００が載置されることで、液晶テレビが構成される。なお、光学シート３，４の内側の拡散板２の外周縁部分にも、弾性板６〜１３等と拡散板２が干渉しないための切欠き２ａが形成されている。
【００２０】
上述したバックライト装置では、光学シート３，４が外方向に張力を付与して支持されたことで、光学シート３，４は、常温でも、しわが発生することなく拡散板２の前方に保持される。ここで、蛍光管５が点灯されて、雰囲気温度が上昇し、光学シート３，４が膨張しても、その膨張量は弾性板６〜１３等の復元動作により吸収されるため、光学シート３，４はそのまま外方向両側に引っ張られた状態を保ち表面にしわが発生することがない。その結果、しわを原因とする陰の発生が解消される。また、この構造を備えたバックライト装置は、大型化にも充分対応可能となる。さらに、このバックライト装置を備えた液晶表示装置は、大型化した場合にも、画面に輝度むらのない安定した画質が得られる。
【００２１】
なお、上述した実施形態は、２枚の光学シート３，４を用いたバックライト装置であったが、光学シートを３枚以上使用するバックライト装置についても同様に、それぞれの光学シートを弾性板に係止するように構成することが可能である。また、通常、液晶テレビでは、画面が垂直に保持されるため、光学シート３，４の上端の縁部が係合される弾性板には、下端の縁部が係合される弾性板よりも、光学シート３，４の重量分、大きい負荷が加わる。そのため、上端の縁部が係合される弾性板はこしの強い、すなわち、曲げたときの復元力が大きいものを使用して、下端の縁部が係合される弾性板の張力と釣り合うようにすることが好ましい。
【００２２】
上述した実施形態は、外周４方向全ての縁に弾性板を配設したが、長手方向両端の縁、または短手方向両端の縁のいずれか一方の縁に、弾性板の代わりに、弾性を有しない剛体からなる板片を用いることも可能である。また、上述した実施形態は、長手方向両端、または短手方向両端のそれぞれの縁に弾性板を配置して光学シート３，４を係合させているが、光学シート３，４の対角線上の外側に弾性板を配置して、対角線上外方向に張力を付与することも可能である。
【産業上の利用可能性】
【００２３】
本発明は、液晶テレビ等の液晶表示装置に用いられるバックライト装置以外に、ディスプレィ装置等のバックライト装置にも利用可能である。
【図面の簡単な説明】
【００２４】
【図１】本発明の実施形態に係る液晶テレビの外観図である。
【図２】本発明の実施形態に係る液晶テレビの外観図である。
【図３】本発明の実施形態に係る液晶テレビの外観図である。
【図４】液晶テレビの内部構成を示す分解斜視図である。
【図５】液晶テレビの内部構成を示す分解斜視図である。
【図６】図１からバックライト装置を取り出して示した斜視図である。
【図７】図６のＡ−Ａ線の拡大断面図である。
【図８】図６のＢ−Ｂ線の拡大断面図である。
【符号の説明】
【００２５】
１  バックライトシールド
１ａ  光学部材保持部
２  拡散板
２ａ  切欠き
３  光学シート
３ａ  角孔
３ｂ  切欠き
４  光学シート
４ａ  角孔
４ｂ  切欠き
５  蛍光管
６〜１３  弾性板
６ａ、７ａ  逆止爪
１４  ベゼル
１５  ビス
１００  液晶パネル
１０１  前キャビネット
１０２  後キャビネット
１０３  操作ボタン類
１０４  スピーカー
１０５  スタンド
１１０  液晶パネルユニット
１１１  光学シート
１１３  ランプホルダ上
１１４  ランプホルダ下
１１５  ランプ
１１６  反射シート
１１７  バックライトシャーシ
【図１】
2008066046.tif 000003
【図２】
2008066046.tif 000004
【図３】
2008066046.tif 000005
【図４】
2008066046.tif 000006
【図５】
2008066046.tif 000007
【図６】
2008066046.tif 000008
【図７】
2008066046.tif 000009
【図８】
2008066046.tif 000010